(57)【要約】      （修正有）【課題】不測のトラブルを防止するため、刃物をガード体で覆うようにした手動氷削り器を提供する。【解決の手段】底板４の表面より僅かに突き出る刃物３に近接する切り込み口２ｂ面に刃物３の刃先全長３ａの全長よりやや長目の凸状のガード体１１ａが常時スプリング体１０の弾発力で刃先高さより高く飛び出す安全板１１を底板４の裏面４ａに設け、更に、ガード体１１ａを出し入れするのに安全板１１の上側面の両サイドに高く突き出るガイド１１ｂも底板４の外周に開口する孔部４ｂから飛び出しとへっこみを自在にし、これらのガイド１１ｂに乗せられるリング体５に連結でなる蓋体６の締め付け押し圧で、飛び出るガイド１１ｂの下方移動と同時に安全板１１を弾発するスプリング体１０が縮小し、ガード体１１ａも刃先より各段下方に移動可能な構成にする。【選択図】図１
0003146332.tif 000002
【実用新案登録請求の範囲】
【請求項１】
スタンドに設けた筒状の氷室は刃物付の底板を持ち、当該氷室の内周で滑動するリング体と、これらの氷室の開口部に着脱自在の蓋体が、中央部に貫通して回動するハンドルに直結する、コイルスプリングを介してなる氷押さえのスパイクが、ハンドル回動に同期して氷室の氷塊を回動しながら底板の刃物で削られる構成でなる手動氷削り器において、前記する底板の表面より突き出る刃物に近接する切り込み口の面に刃物の刃先全長よりやや長目の凸状のガード体が常時スプリング体の弾発力で刃先高より高く飛び出す安全板を底板の裏面に設け、更に、ガード体を出し入れするのに安全板の上側面の両サイドに高く突き出るガイドも底板の外周に開口する孔部と係合出入れ自在にし、これらのガイドに上乗せで滑回動するリング体は、蓋体の締め付け押し圧を受け、飛び出るガイドの下方移動と同時に安全板を押し上げするスプリング体が縮小し、ガード体も刃先より各段下方に移動し刃先全長を露出可能にし、氷削りを可能にした事を特徴とする氷削り刃物の安全装置。
【考案の詳細な説明】
【技術分野】
【０００１】  この考案は手動氷削り器に関し、詳しくは、氷室の底板に突き出して設けた氷を削る為の刃物によって、氷室内の手入れなどで、思わず指先などに切り傷をつけたりまたは、刃物の隙間に割り箸など差し込み、不測に起こるトラブルを防ぐ為、氷室が開放され刃物に指先が触れる状態では、常時刃物に近い隙間から板状のガード体がシャッター式に自動的に飛び出し、刃物を其のガード体が覆う様にした、手動氷削り器の改良に関する。
【背景技術】
【０００２】  この種の従来の技術として、暑い真夏に家庭で手軽に氷を削りカップに盛り付け、好みに合わせたシロップを削り氷にかけて美味しく食べる削り氷は、合成樹脂製でなるスタンドに設けた筒状の氷室は刃物付きの底板を持ち、当該氷室の内周に沿うって滑動するリング体と、これらの氷室の開口部に着脱自在の蓋体が、中央部に貫通して回動するハンドルに直結するコイルスプリングを介して、上下するスパイク付きの氷押さえが氷室内でリンク体を回しながらハンドル回動に連結して氷室の氷塊に押し圧をかけながら回動させることで、底板の刃物が氷塊を削る構成である。この場合、氷押さえの回動にリンクして回動するリング体はスムーズに回動する為に、氷室の底板と氷室の開口部を封印する蓋体の内面の間に程よいガタを設けキシミのない配置で構成され、氷塊と一体に回動する。
【考案の開示】
【考案が解決しようとする課題】
【０００３】  しかしながら上記する従来技術の場合は、ハンドル、氷押さえ，コイルスプリングを合体してなる蓋体を氷室の開口部から取り外した状態では、氷室の底板に設けた氷を削る為の鋭い刃物の刃先が底板面に飛び出しているため、氷室内の後始末や手入れをする等で、思いがけず手先などに切り傷を付けてしまうなどの課題が残る。【０００４】  また、氷削りの後始末に刃物に並んで開口する削り氷の切り込み口に詰まった残り氷を割り箸などを使い、孔に差し込んで取り除こうとして、差し込んだ箸先が思わず抜けなくなって折ったり、指先を筒込む等のトラブルを起してしまうなどの課題がある。
【課題を解決するための手段】
【０００５】  この考案は、かかる幾つかの課題を解決する為、請求項１での考案は図１、図２、図３、で述べる様に、スタンド１に設けた筒状の氷室２は刃物３付きの底板４を持ち、当該氷室２の内周で滑動するリング体５と、これらの氷室２の開口部２ａに着脱自在の蓋体６が、中央部に貫通して回動するハンドル７に直結する、コイルスプリング８を介してなる氷押さえ９のスパイク９ａが、ハンドル７回動に同期して氷室２の氷塊Ａを回動しながら底板４の刃物３で削られる構成でなる手動氷削り器をベースにする。【０００６】  前記するこれら仕組みで氷室２の底板４の表面より突き出る刃物３に近接する切り込み口２ｂ面に刃物３の刃先全長３ａよりやや長目の凸状のガード体１１ａが常時スプリング体１０の弾発力で刃物３の刃先よりある程度に高く飛び出す安全板１１の上側面の両サイドに高く突き出るガイド１１ｂも底板４の裏面４ａに設け、更に、ガード体１１ａを出し入れするのに安全板１１の上側面の両サイドに高く突き出るガイド１１ｂも底板４の外周に開口する孔部４ｂから出入れ自在にし、これらのガイド１１ｂに上乗せで滑回動するリング体５は、蓋体６の締め付け押し圧を受け、飛び出るガイド１１ｂを下方移動と同時に安全板１１を弾発するスプリング体１０を縮小し、ガード体１１ａも刃先より各段下方に移動させ、刃先全長３ａが露出し、氷削りを可能にした構成とする。
【考案の効果】
【０００７】  本考案は上述の通り構成作用するので次ぎの効果を奏する。即ち、本実施例で述べる様に、氷室に蓋体を組み付けた状態では、刃先を覆って保護するガード体が刃先よりへっこみ刃先が露出し、氷削りが通常に出来、また、蓋体を取り外すことで、押し下げられていたガード体が飛び出し露出する刃先を保護することの出来る氷削り刃物の安全装置を提供出来る。
【考案を実施するための最良の形態】
【０００８】  以下に図示の実施例に基づいて本考案を更に詳細に説明する。図１は本考案での全体を示しての分解斜視図で、合成樹脂でなるスタンド１は接地部が台座で上部に筒状の氷室２が一体化し、底に当たる下部の開口部には底板４が固く嵌め込まれ、これらの底板４の表面に刃物３の刃先がのぞく為の切り込み口２ｂが設けられ、刃先全長３ａがその切り込み口２ｂより程よい高さに露出されて、刃物３は底板４の裏面４ａにネジ固定され、刃先高さと刃先全長３ａの出方の微調整をネジの締め付けで行う事が出来、刃先を高く出せば氷塊Ａは粗削りに、低い出方は細かい削りに出来ることになる。更に、氷室２の上部の開口部２ａからリング体５が挿入され、軽く氷室２の内壁に沿うって回動する構成で、また、開口部２ａには個別でなる蓋体６が着脱自在係合の構成である。【０００９】  そしてまた、前記する個別でなる蓋体６は中央部に貫通し回動自在の軸芯は片端が蓋体６の上面に飛び出しハンドル７が固定され、他方端は数本の金属製のスパイク９ａが下方に向けて突き出した金属円盤形状の氷押さえ９が固定されるが、蓋体６裏面と氷押さえの間に圧縮巻きのコイルスプリング８が伸縮自在に弾発拡張して軸芯に差し込まれ、それぞれが蓋体６一体化での構成で、氷室２の開口部２ａに氷塊Ａが入れられた後に蓋体６が開口部２ａに封印係合されるが、氷室２に侵入したスパイク９ａが厚みのある氷塊Ａに突きささることで、コイルスプリング８が圧縮されながら氷押さえ９は上部に移動し、ハンドル７は蓋体６頂部より持ち上がって回動され、氷室２内の氷塊Ａは常時コイルスプリング８の拡張押し力とハンドル７回動操作押し圧が付加され削られ、徐々に氷塊Ａが薄くなり、其れに準じてハンドル７が蓋体６面に徐々に近接する構成である。【００１０】  前記する手動氷削り器は一般的に知られる構成作用での引例て述べたが、図２、図３で本考案の要部を更に詳細に述べるに、前記する円板状の合成樹脂製の底板４は氷塊Ａを削る為の刃物３が搭載され、これらの刃物３の刃先は底板４の切り込み口２ｂ（削られた氷が落ちる出口）から露出し、其の露出する刃先全長３ａにわたって近接して並列する薄板状のガード体１１ａを持つ安全板１１が底板４の裏面４ａに圧縮巻きのスプリング体１０を介し、伸縮自在に一体化され、切り込み口２ｂにガード体１１ａがシャッター式に刃物３の刃先全長３ａをカバーする長さで、且つ、刃先の露出する高さより更に高く出し入れ自在構成で、刃先の保護と解除を可能にしている。【００１１】  そして図２で述べる様に、これらの刃先をシヤッター式にカバーして保護する板状の成形加工でなる安全板１１の長手の両端にはそれぞれ同じ高さでガイド１１ｂが安全板１１上稜辺に設けたガード体１１ａの高さより程良い高さに飛び出して、底板４の外周に開口した孔部４ｂにキシミやガタ付きの無いスムーズに矢印方向に飛び出し状態での構成で底板４の裏面４ａに定着するが、これらの矢印方向へのガイド１１ｂの飛び出しは、安全板１１の下稜辺を圧縮巻きのスプリング体１０によって、常時矢印方向に拡張し持ち上げ可能な構成とっし、更に図３で述べる様に、前記する矢印方向のガイド１１ｂは逆矢印方向に押し圧する事で、安全板１１が矢印方向���下がる事で、ガード体１１ａに保護された刃先が解除され氷削りを可能にするが、これらのガイド１１ｂに付加する押し圧は、蓋体６の閉成体時に連動してリング体５の下外周が、ガイド１１ｂを押し下げる事で達成する。
【図面の簡単な説明】
【００１２】
【図１】  本考案に係わる第１実施例での全体を示しての分解斜視図である。
【図２】  本考案に係わる第１実施例での要部縦断面である。
【図３】  本考案に係わる第１実施例での動作を示しての要部縦断面図でる。
【符合の説明】
【００１３】  Ａ      氷塊
１      スタンド
２      氷室
２ａ    開口部
２ｂ    切り込み口
３      刃物
３ａ    刃先全長
４      底板
４ａ    裏面
４ｂ    孔部
５      リング体
６      蓋体
７      ハンドル
８      コイルスプリング
９      氷押さえ
９ａ    スパイク
１０      スプリング体
１１      安全板
１１ａ    ガード体
１１ｂ    ガイド
【図１】
0003146332.tif 000003
【図２】
0003146332.tif 000004
【図３】
0003146332.tif 000005